(57)【要約】【課題】ガスボンベ架台とガスボンベ収納庫が一体的に形成され、容易に組み立てることができ、耐震性の高い高圧ガスボンベ収納庫を提供する。【解決手段】高圧ガスボンベ収納庫は、高圧ガスボンベ架台と、該高圧ガスボンベ架台の左右の側面に取り付けられるフレームと、該フレームの上方に取り付けられる屋根板とから構成され、高圧ガスボンベ架台とフレームには互いに取り付ける取り付け手段が設けられ、前記フレームと前記屋根板には互いに取り付ける取り付け手段が設けられる。さらに、高圧ガスボンベ収納庫のフレームに、側板と、背板と、扉又は連結具が備えられてもよい。側板と、背板と、扉又は連結具と、フレームには互いに取り付ける取り付け手段が設けられる。【選択図】図１
2018204723.tif 000002
【特許請求の範囲】
【請求項１】
高圧ガスボンベ架台と、該高圧ガスボンベ架台の左右の側面に取り付けられるフレームと、該フレームに取り付けられる屋根板とから構成され、
前記高圧ガスボンベ架台と前記フレームには互いに取り付ける取り付け手段が設けられ、前記フレームと前記屋根板には互いに取り付ける取り付け手段が設けられることを特徴とする高圧ガスボンベ収納庫。
【請求項２】
請求項１に記載の高圧ガスボンベ収納庫であって、さらに、前記高圧ガスボンベ架台の側面方向の前記フレームに側板が備えられ、前記フレームと前記側板には互いに取り付ける取り付け手段が設けられることを特徴とする高圧ガスボンベ収納庫。
【請求項３】
請求項１又は２に記載の高圧ガスボンベ収納庫であって、さらに、前記高圧ガスボンベ架台の後方の前記フレームに背板が備えられ、前記フレームと前記背板には互いに取り付ける取り付け手段が設けられることを特徴とする高圧ガスボンベ収納庫。
【請求項４】
請求項１から３のいずれかに記載の高圧ガスボンベ収納庫であって、さらに、前記高圧ガスボンベ架台の前方の前記フレームに取り付けられる扉又は連結具が備えられ、前記フレームと前記扉又は前記連結具には互いに取り付ける取り付け手段が設けられることを特徴とする高圧ガスボンベ収納庫。
【発明の詳細な説明】
【技術分野】
【０００１】
本発明は、高圧ガスボンベを設置するガスボンベ架台と一体的に形成され、高圧ガスボンベを保護する高圧ガスボンベ収納庫に関する。
【背景技術】
【０００２】
酸素、窒素、アセチレンガス、ＬＰガス等の高圧ガスが充填された高圧ガスボンベは、高圧ガス保安法により、常に４０℃以下に保つ必要があり、地震等で転倒しないように転倒防止の措置を講じる必要がある。また、高圧ガスボンベ置場には、計量器等作業に必要な物以外の物を置かないことが定められており、容器置場（不活性ガス及び空気のものを除く）の周囲２メートル以内においては、火気の使用が禁止されている。
【０００３】
従来、高圧ガスボンベの転倒を防止するために、耐震性を考慮したガスボンベ架台が使用されている。また、高圧ガスボンベの引火の防止や直射日光による温度上昇の防止、いたずら防止等のため、高圧ガスボンベの周囲に設置する保護フェンスや、高圧ガスボンベを収納するガスボンベ収納庫が使用されている。ガスボンベ収納庫は、内部空間にガスボンベを収納し、作業員が中に入ってボンベ交換や計量等の作業をするために、全体としてある程度の大きさが要求される。
【０００４】
特許文献１には、ＬＰガスが充填された容器等を火気から遮るための隔壁パネルが開示されている。この発明によると、ＬＰガス容器等を載置土台の上に常時載せ置き、載置土台の火気を遮る側に相当する端部から垂直方向に側隔壁パネルを設け、この載置土台と側隔壁パネルを固定することで、強風に対して固定でき、ガスの漏洩を防ぐことができるとされている。
【０００５】
また、特許文献２には、面パネル、背面パネル及び両側面パネルを、逆Ｕ字状にコーナー部を湾曲させて形成されたフレームに板材を設けることによって形成し、各パネルをフ
レームの支柱部同士を連結固定することによって箱体状に構成したガスボンベ収納ボックスが開示されている。本発明によると、構造的に高い強度が得られると共にガスボンベの本数が増えた場合でも、前面パネル等を追加するだけで簡単に増設することができるとされている。
【先行技術文献】
【特許文献】
【０００６】
【特許文献１】特開２０１０−１７５０６９号公報
【特許文献２】特開平７−８２９１４号公報
【発明の概要】
【発明が解決しようとする課題】
【０００７】
特許文献１の保護フェンスはその内部空間にガスボンベを固定する載置土台を含んで構成されている。前述のように高圧ガスボンベは、転倒を確実に防止するために耐震性を考慮して設置されることが必要とされるが、この載置土台を含んだ保護フェンスは高圧ガスボンベの本数や種類が変わる度に、耐震性を考慮した設計が必要となる。特に高圧ガスボンベの本数が多い場合に耐震設計の手間や費用がかかる。
【０００８】
特許文献２のガスボンベ収納ボックスは、ボックス自体は構造的に高い強度が得られるが、その中にはガスボンベを固定する土台等は含まれていないため、耐震性を考慮して設計されたガスボンベ架台を中に入れる必要がある。その際に、ガスボンベ架台の寸法と同じ大きさ又は少し大きい寸法のガスボンベ収納ボックスを使用することが好ましい。しかし、ガスボンベ架台とガスボンベ収納ボックスが別々に設計された場合、ガスボンベ架台の寸法によっては、ガスボンベ収納ボックスが必要以上に大きくなってしまうなど両者の寸法が合わないことが起こり得る。その場合、ガスボンベ架台とガスボンベ収納ボックスの側面や背面等との間に余計な空隙が生じる。
【０００９】
ガスボンベ収納庫（又は収納ボックス）は、その設置面積の省スペース化が求められ、また、搬入や組み立てが容易になるように、できるだけコンパクトに設計されることが望まれている。そのため、ガスボンベ架台とガスボンベ収納庫との間に余計な空隙がないよう、ガスボンベ架台とガスボンベ収納庫が一体的に形成され、かつ組み立て容易なガスボンベ収納庫等が求められている。
【００１０】
本発明は、上記課題に鑑み、ガスボンベ架台とガスボンベ収納庫が一体的に形成され、容易に組み立てることができ、耐震性の高い高圧ガスボンベ収納庫を提供することを目的とする。
【課題を解決するための手段】
【００１１】
請求項１に記載の発明は、高圧ガスボンベ架台と、該高圧ガスボンベ架台の左右の側面に取り付けられるフレームと、該フレームに取り付けられる屋根板とから構成され、前記高圧ガスボンベ架台と前記フレームには互いに取り付ける取り付け手段が設けられ、前記フレームと前記屋根板には互いに取り付ける取り付け手段が設けられることを特徴とする高圧ガスボンベ収納庫である。
請求項２に記載の発明は、請求項１に記載の高圧ガスボンベ収納庫であって、さらに、前記高圧ガスボンベ架台の側面方向の前記フレームに側板が備えられ、前記フレームと前記側板には互いに取り付ける取り付け手段が設けられることを特徴とする。
請求項３に記載の発明は、請求項１又は２に記載の高圧ガスボンベ収納庫であって、さらに、前記高圧ガスボンベ架台の後方の前記フレームに背板が備えられ、前記フレームと前記背板には互いに取り付ける取り付け手段が設けられることを特徴とする。
請求項４に記載の発明は、請求項１から３のいずれかに記載の高圧ガスボンベ収納庫であって、さらに、前記高圧ガスボンベ架台の前方の前記フレームに取り付けられる扉又は連結具が備えられ、前記フレームと前記扉又は前記連結具には互いに取り付ける取り付け手段が設けられることを特徴とする。
【発明の効果】
【００１２】
本発明によると、ガスボンベ架台とガスボンベ収納庫が一体的に形成され、容易に組み立てることができ、耐震性の高い高圧ガスボンベ収納庫を提供することができる。
【図面の簡単な説明】
【００１３】
【図１】本発明に係る高圧ガスボンベ収納庫の構成の概略を示す説明図である。
【図２】従来の高圧ガスボンベ架台の一例を示す斜視図である。
【図３】本発明の一実施形態である高圧ガスボンベ収納庫のフレームを示す説明図である。
【図４】図３における領域Ａの取り付け部分を示す拡大説明図である。
【図５】本発明の一実施形態である高圧ガスボンベ収納庫の側面図である。
【図６】本発明の一実施形態である高圧ガスボンベ収納庫の平面図である。
【図７】本発明の一実施形態である高圧ガスボンベ収納庫の背面図である。
【図８】本発明の一実施形態である高圧ガスボンベ収納庫の正面図である。
【発明を実施するための形態】
【００１４】
以下、本発明の実施の形態（以下実施例と記す）を、図面に基づいて説明する。なお、以下の図において、共通する部分には同一の符号を付しており、同一符号の部分に対して重複した説明を省略する。
【００１５】
［高圧ガスボンベ収納庫１の全体構成］
まず、本発明の一実施例に係る高圧ガスボンベ収納庫１の構成について、図１を参照して説明する。図１は、本発明に係る高圧ガスボンベ収納庫の構成の概略を示す説明図である。高圧ガスボンベ収納庫１は、少なくとも、高圧ガスボンベ架台１０と、高圧ガスボンベ架台１０の左右の側面に取り付けられるフレーム１２と、フレーム１２の上方に取り付けられる屋根板１３（天板、天井板ともいう）から構成される。
【００１６】
図１に示すように、本実施例では、さらに高圧ガスボンベ架台１０の側面方向に側板１１（側面板、側面カバーともいう）と、後方に背板１４（裏面板、裏面カバーともいう）と、前方に扉１５又は連結具１６を備える構成とする。側板１１と、背板１４と、扉１５又は連結具１６は必須の構成ではなく、必要に応じて取り付けるものである。高圧ガスボンベ収納庫１を構成する高圧ガスボンベ架台１０と、側板１１と、屋根板１３と、背板１４と、扉１５又は連結具１６は、フレーム１２を介して容易に組み立てることができる。そのため、運搬の際にはこれらの構成部（側板１１等）を組み立てずにコンパクトに運搬できる。以下、それぞれの構成部について詳細に説明する。なお、図１に示す側板１１、屋根板１３、背板１４は、両側の取り付け部分がＬ字型に折られた板を使用しているが、板の形状はそれに限定されず、平坦な板を使用してもよい。また、図１において、扉１５の取り付け部分には扉用の板１５１を使用しているが、扉用の板１５１は必須の構成ではなく、使用しなくてもよい。大型の収納庫の場合、扉用の板１５１があることで扉の開閉作業が容易になる。以下の実施例では、簡単のため、扉用の板１５１を使用しない場合（図８）について説明する。
【００１７】
［高圧ガスボンベ架台１０］
高圧ガスボンベ架台は、設置する高圧ガスボンベの本数や種類によって、受注生産されることが多く、生産する会社によって寸法や形状が異なっている。本発明で使用する高圧ガスボンベ架台１０は、耐震性を考慮して設計され、フレーム１２に取り付ける取り付け手段が設けられていれば、いかなる高圧ガスボンベ架台でもよいが、本実施例では、図２に示す椅子型の高圧ガスボンベ架台１０（実用新案登録第３２０８４８８号）を使用する。
【００１８】
図２に示す高圧ガスボンベ架台１０は、３本の高圧ガスボンベＧが設置されるユニット架台１０１（２台）と、その間に連結される減圧弁（図示せず）が備えられる減圧弁架台１０３から構成される。高圧ガスボンベＧの本数は、本実施例では６本である例を説明するが、これに限定されず何本でもよい。ユニット架台１０１は、３本用だけではなく１本〜５本用等があるが、それらと減圧弁架台１０３を連結させれば、任意の数の高圧ガスボンベＧを設置することができる。
【００１９】
ユニット架台１０１と減圧弁架台１０３は、地面から垂直状態で立設される長方形の枠状に形成された背面パネルと、直方体の枠状に形成された架台部からなる椅子状の形態であり、ユニット架台１０１の架台部の前面外枠に高圧ガスボンベＧを固定するチェーン等の固定手段が設けられている。ユニット架台１０１がこのように椅子状の安定した形態であることから、重量のあるガスボンベＧが設置されていても高い耐震性が保たれる。
【００２０】
ユニット架台１０１と減圧弁架台１０３の左右の側面には、他のユニット架台又減圧弁架台１０３と連結するための複数の接続穴１０５、１０６が穿設されている。この接続穴１０５、１０６と他のユニット架台１０１又は減圧弁架台１０３の接続穴１０５、１０６にボルトを貫通させ、ナットで締付けることにより、ユニット架台１０１と他のユニット架台又は減圧弁架台１０３を連結することができる。また、詳細は後述するが、高圧ガスボンベ収納庫１を構築する際にも、ユニット架台１０１の接続穴１０５を使用してボルトとナットにより、高圧ガスボンベ架台１０の左右の側面にフレーム１２を取り付けることができる。なお、ユニット架台１０１又は減圧弁架台１０３の連結手段や高圧ガスボンベ架台１０とフレーム１２の取り付け手段はこれ限定されず、いかなる手段を使用してもよい。
【００２１】
減圧弁架台１０３には、その背面パネルの接続穴１０７を介して高圧ガスボンベ減圧弁とガス管が固定される（図示せず）。ガス管は、ユニット架台１０１の各高圧ガスボンベＧのガス管に連結されている（図示せず）。
【００２２】
また、ユニット架台１０１と減圧弁架台１０３の底面を構成する外枠には、コンクリート上に固定するための複数個の穴が穿設されている（図示せず）。コンクリート上にアンカーボルト２２のアンカー部を下にして埋設し、底面の穴に貫通させて上からナットで締付けることにより固定することができる。本実施例で使用するアンカーボルト２２は、高圧ガスボンベＧを設置したユニット架台１０１が地震による転倒や横滑りを起こさないように、充分な強度を有するアンカーボルト２２が使用される。アンカーボルト２２の寸法やその埋込み長さと、埋め込む箇所は、高圧ガスボンベＧを設置したユニット架台１０１の寸法や重さから耐震設計施工の計算に基づいて決定される。このような耐震設計施工の計算によりユニット架台１０１と減圧弁架台１０３をコンクリート上に固定するため、高圧ガスボンベ架台１０の耐震性を高めることができる。
【００２３】
［フレーム１２］
次に高圧ガスボンベ収納庫１を形成する高圧ガスボンベ架台１０の左右の側面に取り付けるフレーム１２について図３〜図５を用いて説明する。図３は、本実施例の高圧ガスボンベ収納庫１の一側面のフレーム１２を示す説明図である。図３の説明図では、簡単のため、高圧ガスボンベ架台１０の取り付け具１２４（アングルブラケット）以外の取り付け具を省略して示しているが、実際には多くの取り付け具がフレーム１２に溶接されている（図１参照）。図４は、図３における領域Ａの取り付け部分を示す拡大説明図である。図５は、本実施例の高圧ガスボンベ収納庫１の側面図である。
【００２４】
高圧ガスボンベ架台１０を取り付けるフレーム１２は、本実施例では図３に示すように、門の形状を成している。フレーム１２は、地面から垂直に立設される垂直方向の２本の支柱１２１、１２１と、その上端を繋ぎ、屋根を支える梁１２２から構成される。支柱１２１と梁１２２は溶接等により強固に固定されている。フレーム１２の材質は特に限定しないが、例えばステンレス鋼や鉄、アルミなどの強度のある金属の材質を用いることが好ましい。また、組み立てを容易にするため、軽量かつ太さのある中空柱（角パイプ、丸パイプなど）を使用してもよい。
【００２５】
フレーム１２には、さらに高圧ガスボンベ架台１０を取り付けるための補助梁１２３が柱１２１，１２１間に架設されている。補助梁１２３は支柱１２１、１２１に溶接等により強固に固定されている。フレーム１２に補助梁１２３が架設されることで、高圧ガスボンベ架台１０を取り付けることが可能となり、さらに、フレーム１２がより強固になる。補助柱１２３は何本でもよいが、本実施例では２本、架設されている。補助梁１２３には高圧ガスボンベ架台１０を取り付けるための取り付け具１２４が溶接されており、本実施例では、１本の補助梁１２３に２箇所、取り付け具１２４が溶接されている。なお、取り付け具１２４を使用せず、補助梁１２３に直接、接続穴を穿設してもよい。取り付け具１２４を補助梁１２３に溶接することで、接続穴を穿設する手間が省け、効率よく高圧ガスボンベ架台１０を補助梁１２３に取り付けることができる。また、図２に示すように、本実施例では高圧ガスボンベ架台１０の架台部の一側面に４箇所、接続穴１０５が穿設されている。
【００２６】
取り付け具１２４はいかなるものでもよいが、本実施例では、図３、図４に示されるＬ字型のアングルブラッケットを使用する。本実施例で使用するアングルブラケットは、穴が穿設された面と穿設されていない面が直角を成すように形成されている。図４に示すように、アングルブラッケットの穴が穿設された面が高圧ガスボンベ架台１０の接続穴１０５に当接するように、他面が補助梁１２３に溶接されている。そのアングルブラッケットの穴と架台部の接続穴１０５にボルトを貫通させ、ナットで締付けることにより、高圧ガスボンベ架台１０を補助梁１２３に取り付けることができる。他の３カ所の取り付け部分についても同様にして架台部と補助梁１２３を取り付けることができる。このようにして、高圧ガスボンベ架台１０と補助梁１２３（フレーム１２）を取り付けることができる。
【００２７】
なお、ガスボンベ架台１０は、屋根板１３を取り付けて充分に覆われる位置に設置する必要があるため、前方（扉１５又は連結具１６側）よりも後方（背板１４又は外壁側）の位置に設置することが好ましい。例えば、ガスボンベ架台１０が、その後方に設置する背板１４又は外壁と近く（例えば１０〜２０ｃｍ程度）なるように、補助梁１２３に取り付け具１２４が溶接される（図３，５参照）。
【００２８】
また、フレーム１２の２本の柱１２１、１２１の底面には、コンクリート上に固定するための複数個の穴が穿設されている。コンクリート上にアンカーボルトのアンカー部を下にして埋設し、底面の穴に貫通させて上からナットで締付けることにより固定することができる。このとき、アングルブラッケットを使用して固定してもよい。アンカーボルトは、フレーム１２が地震による転倒や横滑りを起こさないように、充分な強度を有するアンカーボルトが使用される。
【００２９】
以上、説明したように、高圧ガスボンベ架台１０をフレーム１２に取り付けることができる。なお、高圧ガスボンベ架台１０とフレーム１２の取り付け手段として、接続穴１０５と取り付け具１２４にボルトを通してナットで締付ける手段を説明してきたが、取り付け手段はこれ限定されず、いかなる手段を用いてもよい。また、図３〜５において、高圧ガスボンベ架台１０の一方の側面（正面図右側）に取り付けるフレーム１２について説明してきたが、もう一方の側面（正面図左側）に取り付けるフレーム１２についても、その構成や取り付け手段は同様であるため、説明を省略する。
【００３０】
［屋根板１３］
フレーム１２の上端に載せて取り付ける屋根板１３について、図６を参照して説明する。図６は、高圧ガスボンベ収納庫１の平面図である。前述のように高圧ガスボンベは、４０℃以下に保つ必要がある。高圧ガスボンベを直射日光が常に当たらない場所に設置する場合には問題ないが、直射日光が当たる場所に設置する場合には高圧ガスボンベが直射日光を浴びて高温になることを防ぐため、屋根板１３を取り付ける必要がある。また、雨や雪、鳥の糞など上空からの落下物による高圧ガスボンベの損傷を防ぐためにも屋根板１３を取り付ける必要がある。
【００３１】
屋根板１３の板材は、耐久性・耐食性に優れた材質の板材であればいかなるものでもよいが、例えば、亜鉛めっき鋼の平板や波板が使用される。屋根板１３は、高圧ガスボンベ架台１０を充分に覆うことができる大きさが必要であり、高圧ガスボンベ架台１０の両側に取り付ける左右のフレーム１２、１２の梁１２２、１２２に載せられて取り付けられる。屋根板１３の寸法はフレーム１２、１２を覆うように、例えば、縦（短手方向）の寸法は、柱１２２の寸法（１３００ｍｍ）よりも少し大きく１４００ｍｍとし、横（長手方向）の寸法は、フレーム１２、１２間の距離１８００ｍｍよりも少し大きく２０００ｍｍとすることができる。
【００３２】
屋根板１３の両端には、複数箇所、接続穴１３０が穿設されており、また、フレーム１２の梁１２２には、屋根板１３を取り付けるための取り付け具１２０が溶接されており、本実施例では、１本の梁１２２につき４箇所、取り付け具１２０が溶接されている。取り付け具１２０には、補助梁１２３の取り付け具と同様にアングルブラッケットを使用する。アングルブラッケットの穴が穿設されている面が屋根板１３の接続穴１３０に当接するように、他面が梁１２２に溶接されている（図４参照）。そのアングルブラッケットの穴と屋根板１３の接続穴１３０にボルトを貫通させ、ナットで締付けることにより、屋根板１３を梁１２２、１２２に取り付けることができる。このように、高圧ガスボンベ架台１０に取り付けたフレーム１２に屋根板１３を取り付けることにより、直射日光を防ぐことができ、雨や雪、落下物による高圧ガスボンベの損傷を防ぐことができる。
【００３３】
［側板１１］
次に高圧ガスボンベ架台１０の側面方向に取り付けられる側板１１について図５を参照して説明する。側板１１は、高圧ガスボンベ架台１０の側面方向に壁等がある場合には、必ずしも取り付ける必要はないが、高圧ガスボンベ架台１０の側面方向からの侵入物を防ぐため、必要に応じて片方または両方の側板１１を取り付ける。本実施例では、高圧ガスボンベ架台１０の側面方向の両側に側板１１を取り付ける。
【００３４】
側板１１は、屋根板１３と同様に、耐久性・耐食性に優れた材質の板材であればいかなるものでもよいが、例えば、亜鉛めっき鋼板が使用される。側板１１の寸法は、フレーム１２全体を覆う寸法ではなく、通気性と高圧ガスボンベＧの視認性を確保するために、垂直方向の上下がある程度空くような寸法であることが好ましい。例えば、図５に示すようにフレーム１２の垂直方向の高さが２０００ｍｍの場合には、側板１１の縦の寸法（垂直方向）を１６００ｍｍ、側板１１の横の寸法（水平方向）をフレーム１２の水平方向の寸法（例えば１３００ｍｍ）と同程度とすることができる。なお、側板１１は、１枚板を使用してもよいし、２枚以上接ぎ合わせた板を使用してもよい。
【００３５】
側板１１には複数箇所、接続穴１１０が穿設されており、また、柱１２１、１２１には側板１１を取り付けるための取り付け具１２０が溶接されており、本実施例では、１本の柱１２１につき６箇所、取り付け具１２０が溶接されている。取り付け具１２０は、上記と同様にアングルブラッケットを使用する。アングルブラッケットの穴が穿設されている面が側板１１の接続穴１１０に当接するように、他面が柱１２１に溶接されている（図４参照）。そのアングルブラッケットの穴と側板１１の接続穴１１０にボルトを貫通させ、ナットで締付けることにより、側板１１を柱１２１に取り付けることができる。
【００３６】
なお、図５において、高圧ガスボンベ架台１０の一方の側面（正面図右側）に取り付ける側板１１について説明してきたが、もう一方の側面（正面図左側）に取り付ける側板１１についても、その構成や取り付け手段は同様であるため、説明を省略する。
【００３７】
［背板１４］
高圧ガスボンベ架台１０の後方のフレーム１２に取り付けられる背板１４について、図７を参照して説明する。図７は、高圧ガスボンベ収納庫１の背面図である。高圧ガスボンベ架台１０の後方にすぐ家屋等の壁面がある場合には、背板１４は必ずしも設置する必要はないが、家屋等の壁面から離れている場合には、高圧ガスボンベ架台１０の後方を保護するため、背板１４を設置することが好ましい。
【００３８】
背板１４の材質は、側板１１と同様に、例えば亜鉛めっき鋼板が使用される。背板１４の寸法は、側板１１と同様に左右のフレーム１２、１２全体を覆う寸法ではなく、通気性と高圧ガスボンベＧの視認性を確保するために、垂直方向の上下がある程度空くような寸法であることが好ましい。例えば、図７に示すようにフレーム１２、１２の垂直方向の高さが２０００ｍｍの場合には、背板１４の縦の寸法を１６００ｍｍ、背板１４の横の寸法をフレーム１２、１２間の寸法（１８００ｍｍ）とすることができる。なお、背板１４は、１枚板を使用してもよいし、２枚以上接ぎ合わせた板を使用してもよい。
【００３９】
背板１４とフレーム１２の取り付け手段は、側板１１とフレーム１２の取り付け手段と
と同様に、フレーム１２に取り付け具１２０（アングルブラッケット）を固定して行う。本実施例では、図７に示すように、背板１４には左右に各６箇所、接続穴１４０が穿設されており、フレーム１２の柱１２１、１２１にも各６箇所、取り付け具１２０が溶接されている。取り付け具１２０の穴と、接続穴１４０にボルトを貫通させ、ナットで締付けることにより、背板１４をフレーム１２に取り付けることができる。このように、高圧ガスボンベ架台１０の後方のフレーム１２に背板１４を取り付けることにより、後方からの侵入物等を防ぎ、高圧ガスボンベを保護することができる。
【００４０】
［扉１５又は連結具１６］
高圧ガスボンベ架台１０の前方のフレーム１２に取り付けられる扉１５又は連結具１６について図８を参照して説明する。図８は、扉１５が設置されている場合の高圧ガスボンベ収納庫１の正面図である。高圧ガスボンベ収納庫１の扉１５又は連結具１６は必ずしも必要な構成ではないが、高圧ガスボンベ架台１０の前方に扉１５又は連結具１６を取り付けることにより、前方からの侵入物等を防ぐことができる。本実施例では、扉１５を備えた高圧ガスボンベ収納庫１を説明する。
【００４１】
扉１５の板材は、側板１１や背板１４と同様に、例えば亜鉛めっき鋼板が使用される。扉１５の寸法は、背板１４と同様に左右のフレーム１２、１２全体を覆う寸法ではなく、通気性と高圧ガスボンベＧの視認性を確保するために、垂直方向の上下がある程度空くような寸法であることが好ましい。扉は１枚の板材で構成してもよいが、本実施例では、２枚の板材で左右に開く両開きタイプの扉を使用する。また、本実施例では扉１５を開けやすくするため、背板１４よりも垂直方向の寸法を短くする。例えば、図８に示すようにフレーム１２、１２の垂直方向の高さが２０００ｍｍの場合には、扉１５の縦の寸法を１２００ｍｍ、２枚の扉１５を合わせた横の寸法を、フレーム１２、１２間の寸法（１８００ｍｍ）とすることができる。
【００４２】
扉１５の固定手段１７はいかなるものでもよいが、例えば、鉄製やステンレス製の丸落し型、角落し型、内掛け型、ラッチ型等の錠前を使用することができる。これらの錠前は、容易に扉に取り付けることができ、また開閉も容易である。本実施例では、鉄製の丸落し型の錠前を使用する。
【００４３】
扉１５とフレーム１２の取り付け手段には、扉１５が開閉できるよう蝶番１８を使用する。蝶番１８を取り付けるため、各扉１５の端には、複数箇所、接続穴１５０が穿設されている。本実施例では、図８に示すよう各扉１５の端に２箇所（１箇所につき３個）、接続穴１５０が穿設されている。フレーム１２の柱１２１、１２１に蝶番１８の一面を溶接して固定し、他面の穴と扉１５の接続穴１５０にボルトを貫通させ、ナットで締付けることにより、扉１５とフレーム１２を取り付けることができる。
【００４４】
高圧ガスボンベ収納庫１に扉１５を取り付ける代わりに連結具１６を取り付けてもよい。連結具１６は、例えば、チェーンやバックルベルトなど公知の連結具を使用することができる。このように、高圧ガスボンベ架台１０の前方に扉１５又は連結具１６を取り付けることにより、前方からの侵入物等を防ぎ、また、扉１５又は連結具１６を開閉することで、作業員が中に出入りできる。
【００４５】
以上、説明してきた様に、本発明の高圧ガスボンベ収納庫は、耐震性を満たす高圧ガスボンベ架台と、その側面に取り付けられるフレームと、フレームに屋根板、側板、背板、扉等を取り付けることで容易に組み立てることができ、耐震性の高い高圧ガスボンベ収納庫を提供することができる。また、運搬の際にはこれらを組み立てずにコンパクトに運搬できる。また、高圧ガスボンベ架台とフレーム、フレームに合う屋根板、側板等から高圧ガスボンベ収納庫を構成できるため、安価に製造できる。
【００４６】
なお、本実施例では、高圧ガスボンベ架台とフレーム、フレームと屋根板、フレームと側板、フレームと背板と、フレームと扉の蝶番との取り付け手段に、それぞれの接続穴と取り付け具にボルトを通してナットで締付ける手段を説明したが、取り付け手段はこれ限定されず、いかなる手段を使用してもよい。例えば、紐やベルト等で取り付けてもよい。
【００４７】
また、フレームには取り付け具（アングルブラッケット）を固定して、その穴を使用したが、フレームに直接、接続穴を穿設してもよい。さらに、フレームは、門の形状のフレームを例に挙げて説明したが、形状はこれに限定されず、いかなる形状でもよい。その他、上記の構成部の形状や材質、寸法等は一例であり、本発明の趣旨を逸脱しない範囲で、適宜変更可能である。
【符号の説明】
【００４８】
１…高圧ガスボンベ収納庫、１０…高圧ガスボンベ架台、１１…側板、１２…フレーム、１３…屋根板、１４…背板、１５…扉、１６…連結具、１７…扉の固定手段、１８…蝶番、２２…アンカーボルト、１０１…ユニット架台、１０３…減圧弁架台、１０５…ユニット架台の接続穴，１０６，１０７…減圧弁架台の接続穴、１１０…側板の接続穴、１２０…フレームの取り付け具、１２１…支柱、１２２…梁、１２３…補助梁、１２４…補助梁の取り付け具、１３０…屋根板の接続穴、１４０…背板の接続穴、１５０…扉の接続穴、１５１…扉用の板、Ｇ…高圧ガスボンベ。
【図１】
2018204723.tif 000003
【図２】
2018204723.tif 000004
【図３】
2018204723.tif 000005
【図４】
2018204723.tif 000006
【図５】
2018204723.tif 000007
【図６】
2018204723.tif 000008
【図７】
2018204723.tif 000009
【図８】
2018204723.tif 000010
【手続補正書】
【提出日】平成30年9月10日(2018.9.10)
【手続補正１】
【補正対象書類名】特許請求の範囲
【補正対象項目名】全文
【補正方法】変更
【補正の内容】
【特許請求の範囲】
【請求項１】
高圧ガスボンベ架台と、該高圧ガスボンベ架台の左右の側面に取り付けられるフレームと、該フレームに取り付けられる屋根板とから構成され、
前記高圧ガスボンベ架台と前記フレームには互いに取り付ける取り付け手段が設けられ、
前記取り付け手段には、アングルブラッケットが使用され、前記アングルブラッケットの穴が穿設された面が前記高圧ガスボンベ架台の接続穴に当接するように、前記アングルブラッケットの他面が前記フレームに溶接され、前記アングルブラッケットの穴と前記高圧ガスボンベ架台の接続穴にボルトを貫通させ、ナットで締付けることにより、前記高圧ガスボンベ架台に前記フレームが取り付けられ、
前記フレームと前記屋根板には互いに取り付ける取り付け手段が設けられることを特徴とする高圧ガスボンベ収納庫。
【請求項２】
請求項１に記載の高圧ガスボンベ収納庫であって、さらに、前記高圧ガスボンベ架台の側面方向の前記フレームに側板が備えられ、前記フレームと前記側板には互いに取り付ける取り付け手段が設けられることを特徴とする高圧ガスボンベ収納庫。
【請求項３】
請求項１又は２に記載の高圧ガスボンベ収納庫であって、さらに、前記高圧ガスボンベ架台の後方の前記フレームに背板が備えられ、前記フレームと前記背板には互いに取り付ける取り付け手段が設けられることを特徴とする高圧ガスボンベ収納庫。
【請求項４】
請求項１から３のいずれかに記載の高圧ガスボンベ収納庫であって、さらに、前記高圧ガスボンベ架台の前方の前記フレームに取り付けられる扉又は連結具が備えられ、前記フレームと前記扉又は前記連結具には互いに取り付ける取り付け手段が設けられることを特徴とする高圧ガスボンベ収納庫。
【手続補正２】
【補正対象書類名】明細書
【補正対象項目名】００１１
【補正方法】変更
【補正の内容】
【００１１】
請求項１に記載の発明は、高圧ガスボンベ架台と、該高圧ガスボンベ架台の左右の側面
に取り付けられるフレームと、該フレームに取り付けられる屋根板とから構成され、前記高圧ガスボンベ架台と前記フレームには互いに取り付ける取り付け手段が設けられ、前記取り付け手段には、アングルブラッケットが使用され、前記アングルブラッケットの穴が穿設された面が前記高圧ガスボンベ架台の接続穴に当接するように、前記アングルブラッケットの他面が前記フレームに溶接され、前記アングルブラッケットの穴と前記高圧ガスボンベ架台の接続穴にボルトを貫通させ、ナットで締付けることにより、前記高圧ガスボンベ架台に前記フレームが取り付けられ、前記フレームと前記屋根板には互いに取り付ける取り付け手段が設けられることを特徴とする高圧ガスボンベ収納庫である。
請求項２に記載の発明は、請求項１に記載の高圧ガスボンベ収納庫であって、さらに、
前記高圧ガスボンベ架台の側面方向の前記フレームに側板が備えられ、前記フレームと前記側板には互いに取り付ける取り付け手段が設けられることを特徴とする。
請求項３に記載の発明は、請求項１又は２に記載の高圧ガスボンベ収納庫であって、さらに、前記高圧ガスボンベ架台の後方の前記フレームに背板が備えられ、前記フレームと前記背板には互いに取り付ける取り付け手段が設けられることを特徴とする。
請求項４に記載の発明は、請求項１から３のいずれかに記載の高圧ガスボンベ収納庫であって、さらに、前記高圧ガスボンベ架台の前方の前記フレームに取り付けられる扉又は連結具が備えられ、前記フレームと前記扉又は前記連結具には互いに取り付ける取り付け手段が設けられることを特徴とする。